(57)【要約】【課題】  介護者の作業効率の向上、及び利用者の見守りの精度の向上の両立を実現した見守りシステムを提供すること。【解決手段】  各部屋に設置された利用者用センサ１０と、利用者の情報を表示する介護者用端末２０とを備えた見守りシステムであって、利用者用センサ１０は、利用者の状況を検知する検知手段と、該検知手段により検知した検知情報を管理サーバ５０に送信する検知情報送信手段とを備え、介護者用端末２０は、管理サーバ５０が受信したセンサ１０の検知情報及び介護スケジュール情報を含む利用者情報を、利用者ごとに一覧として表示する表示手段を備えている見守りシステムである。【選択図】図１
2018132795.tif 000002
【特許請求の範囲】
【請求項１】
各部屋に設置された利用者用センサと、利用者の情報を表示する介護者用端末とを備えた見守りシステムであって、
前記利用者用センサは、
利用者の状況を検知する検知手段と、
該検知手段により検知した検知情報を管理サーバに送信する検知情報送信手段とを備え、
前記介護者用端末は、
管理サーバが受信したセンサの検知情報及び介護スケジュール情報を含む利用者情報を、利用者ごとに一覧として表示する表示手段を備えている
ことを特徴とする見守りシステム。
【請求項２】
介護者用端末の表示手段に表示される各利用者の介護スケジュール情報が、直近で行う少なくとも２つのスケジュール情報であることを特徴とする請求項１に記載の見守りシステム。
【請求項３】
介護者用端末の表示手段は、各利用者の介護スケジュール情報において、直近のスケジュールの終了時に、その直近のスケジュール情報を非表示とすると共に、次の新たなスケジュールを表示することを特徴とする請求項１又は２に記載の見守りシステム。
【請求項４】
さらに、各部屋に設置された利用者用ビデオカメラを備え、
前記利用者用ビデオカメラは、
部屋内を撮影する撮影手段と、
管理サーバの要求に応じて管理サーバへ所定時間のビデオ映像を送信する映像送信手段を備え、
介護者用端末は、
管理サーバに対してビデオ映像を要求する映像要求手段と、
管理サーバから所定時間のビデオ映像を受信する映像受信手段とを備えている
ことを特徴とする請求項１〜３のいずれかに記載の見守りシステム。
【請求項５】
介護者用端末の表示手段が、所定の検知情報が表示された場合に、所定時間、ビデオ映像受信のための標識を表示することを特徴とする請求項１〜４のいずれかに記載の見守りシステム。
【発明の詳細な説明】
【技術分野】
【０００１】
本発明は、介護用見守りシステムに係り、詳しくは、介護施設等において効率的に利用者の見守りができるシステムに関する。
【背景技術】
【０００２】
近年、高年齢化により介護施設等の介護の需要は増えてきている。しかし、介護の作業は煩雑で２４時間管理するため多忙であり、介護者（介護士等の介護スタッフや介護事務員など介護施設に従事する人すべてを含む。以下同じ。）の絶対数が不足している。
【０００３】
また、一般に介護施設においては、複数の利用者（要介護者を含む。以下同じ。）を複数の介護者により介護するものであり、時間ごとに細かく介護スケジュールが組まれている。これらの情報を介護者全員が確実に共有することが作業効率の面からも望ましいが、多忙かつ様々な作業を行う介護現場では、難しいというのが現状である。
【０００４】
一方、デジタルネットワーク技術の進歩により、様々な業種において作業効率は以前より向上しており、介護事業においても、デジタルネットワーク技術を利用したシステムが提案されている（例えば、特許文献１参照。）。
【０００５】
しかし、機能的に複雑すぎるものや、現場の要求に即していないものが多く、デジタルネットワーク利用したシステムの普及はあまり進んでいない。
【先行技術文献】
【特許文献】
【０００６】
【特許文献１】特開２０１６−２２４５０９号公報
【発明の概要】
【発明が解決しようとする課題】
【０００７】
本発明の課題は、介護者の作業効率の向上、及び利用者の見守りの精度の向上の両立を実現した見守りシステムを提供することにある。
【課題を解決するための手段】
【０００８】
本発明者らは、上記課題をすべく鋭意研究した結果、利用者の異常及び利用者の介護スケジュールを一つの集中した画面で確認できるシステムとすることにより、介護者の作業効率の向上、及び利用者の見守りの精度の向上の両立を図ることができることを見いだし、本発明を完成するに至った。
【０００９】
すなわち、本発明は、各部屋に設置された利用者用センサと、利用者の情報を表示する介護者用端末とを備えた見守りシステムであって、前記利用者用センサは、利用者の状況を検知する検知手段と、該検知手段により検知した検知情報を管理サーバに送信する検知情報送信手段とを備え、前記介護者用端末は、管理サーバが受信したセンサの検知情報及び介護スケジュール情報を含む利用者情報を、利用者ごとに一覧として表示する表示手段を備えていることを特徴とする見守りシステムに関する。
【００１０】
好ましくは、介護者用端末の表示手段に表示される各利用者の介護スケジュール情報が、直近で行う少なくとも２つのスケジュール情報である。
好ましくは、介護者用端末の表示手段は、各利用者の介護スケジュール情報において、直近のスケジュールの終了時に、その直近のスケジュール情報を非表示とすると共に、次の新たなスケジュールを表示する。
【００１１】
好ましくは、さらに、各部屋に設置された利用者用ビデオカメラを備え、前記利用者用ビデオカメラは、部屋内を撮影する撮影手段と、管理サーバの要求に応じて管理サーバへ所定時間のビデオ映像を送信する映像送信手段を備え、介護者用端末は、管理サーバに対してビデオ映像を要求する映像要求手段と、管理サーバから所定時間のビデオ映像を受信する映像受信手段とを備えている。
好ましくは、介護者用端末の表示手段が、所定の検知情報が表示された場合に、所定時間、ビデオ映像受信のための標識を表示する。
【発明の効果】
【００１２】
本発明の見守りシステムによれば、介護者の作業効率の向上、及び利用者の見守りの精度の向上の両立を実現できる。
【図面の簡単な説明】
【００１３】
【図１】本発明の見守りシステムの基本的なシステム構成を示す図である。
【図２】本発明の見守りシステムの介護スケジュール作成画面例を示す図である。
【図３】図２に示す介護スケジュール作成画面の要部Ａの拡大図である。
【図４】本発明の見守りシステムの利用者情報一覧画面例を示す図である。
【図５】本発明の見守りシステムの介護スケジュール一覧画面例の要部拡大図である。
【図６】本発明の見守りシステムの管理サーバの動作を中心とした見守り方法のフローを示す図である。
【図７】本発明の見守りシステムの介護者用端末の表示手段に表示された検知情報及びアラートの例を示す図である。
【発明を実施するための形態】
【００１４】
本発明の見守りシステムは、各部屋に設置された利用者用センサと、利用者の情報を表示する介護者用端末とを備えている。利用者用センサは各部屋に１つであってもよいが、各部屋の利用者の数や、各利用者に設置するセンサの種類等に応じて複数であってもよい。また、介護者用端末は、１つであってもよいが、施設のフロアー数や管理室数等に合わせて複数であってもよい。
【００１５】
（利用者センサ）
利用者センサとしては、利用者の状況を検知する検知手段を備えるものであって、具体的には、人感センサ、睡眠センサ、ドアセンサ等を例示することができる。人感センサは、赤外線などを用いて利用者の動きを検知するセンサである。また、睡眠センサは、利用者のベッドに設置され、マイクロフォンセンサなどで振動を感知し、利用者の睡眠、体動、離床等の状態を検知するセンサである。また、ドアセンサは、各部屋のドアに設置され、ドアの開閉を検知するセンサである。これらのセンサは、検知目的に応じて、１人の利用者に対して２種以上同時に設置することができる。
【００１６】
利用者用センサは、検知手段により検知した検知情報を管理サーバに通知する検知情報通知手段を備えている。ここで、検知情報としては、例えば、人感センサやドアセンサのように、センサが感知したことを知らせる情報や、睡眠センサのように、睡眠状態（睡眠の深さ等）や、睡眠・起上・離床等の状態の変化を知らせる情報等を挙げることができる。
【００１７】
（介護者用端末）
介護者用端末は、介護者が利用者の情報を確認するための端末であり、管理サーバが受信したセンサの検知情報及び介護スケジュール情報を含む利用者情報を、利用者ごとに一覧として表示する表示手段を備えている。これにより、多くの利用者の情報を集中して管理し、把握することができる。また、検知情報及び介護スケジュール情報を同時に確認できることにより、利用者の状況と介護者が行うべき介護内容とを同時に把握することができ、介護者の作業効率を向上させることができる。
【００１８】
ここで、表示手段に表示される介護スケジュール情報とは、利用者が受ける介護サービス内容及び予定日時等を含む情報である。この介護スケジュール情報は、介護者用端末や、スケジュール管理者用端末、個人ＰＣ等の他のＰＣから入力可能となっており、管理サーバに記憶されると共に、必要な情報が介護者用端末に送信され、介護者用端末の表示手段に表示される。
【００１９】
この表示手段に表示される各利用者の介護スケジュール情報は、１つであっても複数であってもよいが、直近で行う少なくとも２つのスケジュール情報であることが好ましい。これにより、介護者は、利用者全体の現在の（又は次に行う）介護スケジュールと、それに続くスケジュールが把握でき、効率的な作業を行うことが可能となる。
【００２０】
この各利用者の介護スケジュール情報は、例えば、直近のスケジュールの終了時に、その直近のスケジュール情報が非表示となると共に、次の新たなスケジュールが表示される。すなわち、直近２つのスケジュールが表示されている場合、最も直近の第１介護スケジュールの終了時にその第１介護スケジュールが非表示となると共に、それに続く第２介護スケジュールが第１介護スケジュールとなり、新たな第２介護スケジュールが表示されるようになる。例えば、第１介護スケジュールが上段に示され、第２介護スケジュールが下段に示されている場合、第２介護スケジュールが上段に繰り上がり、下段に新たな介護スケジュールが表示される。
【００２１】
一方、介護者用端末は、上記のように、センサの検知情報を表示するが、予め設定された所定の検知情報の表示時に、音声や表示により警報を行うことができるアラート手段を備えていることが好ましい。これにより、利用者の異常等を容易に把握することができる。
【００２２】
また、本発明の見守りシステムが、利用者用ビデオカメラを備えている場合には、介護者用端末は、管理サーバに対してビデオ映像を要求する映像要求手段と、管理サーバから所定時間のビデオ映像を受信する映像受信手段とを備えていることが好ましい。これにより、介護者は必要に応じて、各部屋の利用者の状況を、各部屋に出向くことなく介護者用端末で確認することができる。また、必要な場合のみ、所定時間のビデオ映像しか受信できない（表示できない）ようになっているので、利用者のプライバシーを確保することができる。ここで、受信するビデオ映像の時間としては、プライバシーを不必要に害しないと共に、最低限の利用者の状況を把握できる時間であることが好ましく、例えば、１０〜１２０秒程度であり、１５〜６０秒程度である。
【００２３】
介護者用端末の利用者情報の表示手段は、所定の検知情報が表示された場合に、所定時間（例えば３０〜９０秒）、ビデオ映像受信のための標識を表示するよう構成することが好ましい。例えば、各利用者の介護スケジュール情報が掲載された箇所に、所定時間、ビデオ映像受信のための標識を表示する。ビデオ映像受信のための標識としては、「カメラ」、「ビデオ開始」等を表示したボタンやアイコンを例示することができる。
【００２４】
したがって、介護者は、介護者用端末の表示手段に表示された検知情報や上記ビデオ映像受信のための標識を確認し、各部屋の利用者の状況を確認すべくビデオ映像を見たい場合には、例えば、介護者用端末のキーボード入力、マウス操作、モニターのビデオ映像受信のための標識に直接触れること等によりその要求を入力する。このように、介護者からの要求があった場合に、介護者用端末は、管理サーバに映像要求を送信する。なお、介護者用端末の表示手段に標識を表示した後、映像要求がなく所定時間経過が経過した場合には、介護者用端末の表示手段の表示は元の状態に戻される。すなわち、上記のように、介護スケジュール欄に標識を表示する場合には、所定時間経過後には、元の介護スケジュールが表示されることになる。
【００２５】
（利用者用ビデオカメラ）
利用者用ビデオカメラは、各部屋に設置され、部屋内を撮影する撮影手段と、管理サーバの要求に応じて管理サーバへ所定時間のビデオ映像を送信する映像送信手段を備えている。すなわち、上記のような介護者のビデオ映像要求情報が、管理サーバを介してビデオカメラに送られ、ビデオカメラは、これに応じて管理サーバへビデオ映像を送信する。
【００２６】
（管理サーバ）
管理サーバは、上記利用者用センサや介護者用端末の動作が正常に行われることを管理する装置であり、利用者用センサ及び介護者用端末のもつ手段に対応した各種手段を有している。例えば、管理サーバは、利用者用センサの検知情報送信手段に対応して、検知情報受信手段を有している。また、管理サーバは、各利用者の介護スケジュール情報を受信するスケジュール情報受信手段を有している。その他、介護者用端末からの要求によりカメラからの映像を受信する手段や、その映像を介護者用端末へ送信する手段等を有している。また、各種情報を記憶する記憶手段を有している。
【００２７】
以下、本発明を実施するための一実施形態について図面を参照しつつ説明するが、本発明は本実施形態に限定されるものではない。
【００２８】
図１に、本発明の見守りシステムの基本的なシステム構成を示す。図１に示すように、見守りシステムは、利用者用センサ１０と、介護者用端末２０と、スケジュール管理者用端末３０と、利用者用ビデオカメラ４０と、管理サーバ５０とが、ネットワークにより接続されることで構成されている。ネットワークとしては、例えば、有線又は無線のＬＡＮ、イントラネット、インターネット、電話回線を挙げることができる。なお、図１では、利用者用センサ１０、介護者端末２０、スケジュール管理者用端末３０、利用者用ビデオカメラ４０は１つしか示していないが、通常は、複数が管理サーバ５０に接続されている。
【００２９】
利用者用センサ１０は、介護施設の利用者の各部屋に設置される。利用者センサ１０は、例えば、人感センサ、睡眠センサ、ドアセンサ等である。利用者用センサ１０は、利用者の状況を検知する検知手段と、検知情報送信手段を備えており、検知した検知情報を管理サーバ５０に送信する。
【００３０】
介護者用端末２０は、通常、各フロアー等に設置され、複数の介護者により利用される。この介護者用端末２０は、ディスプレイからなる表示出力装置と、キーボードやマウスなど標準入力装置や表示出力装置上に設けられたタッチパネル等からなる入力装置と、大容量記憶装置と、ＣＰＵ、メモリなどを備えた、いわゆるＰＣであるが、スマートフォンやタブレット型ＰＣであってもよい。
【００３１】
介護者用端末２０は、利用者情報表示手段と、映像要求手段と、映像受信手段とを備えている。利用者情報表示手段は、管理サーバ５０が受信した各利用者の検知情報及び各利用者の介護スケジュール情報を、利用者ごとに一覧として表示する手段であり、この一覧は、通常、管理サーバ５０で作成され介護者用端末２０に送信されるが、介護者用端末２０側で作成されてもよい。また、映像要求手段は、介護者からの要求入力があった場合に、管理サーバ５０に対してビデオ映像を要求する手段である。また、映像受信手段は、管理サーバ５０から所定時間のビデオ映像を受信する手段である。
【００３２】
スケジュール管理者用端末３０は、事務室等に設置され、スケジュール管理者より、利用者のスケジュールの入力がなされる。このスケジュール管理者用端末３０は、ディスプレイからなる表示出力装置と、キーボードやマウスなど標準入力装置や表示出力装置上に設けられたタッチパネル等からなる入力装置と、大容量記憶装置と、ＣＰＵ、メモリなどを備えた、いわゆるＰＣである。
【００３３】
スケジュール管理者用端末３０は、スケジュール入力手段、スケジュール情報送信手段を備えており、介護者等が入力した介護スケジュール情報を管理サーバ５０に送信する。
【００３４】
利用者用ビデオカメラ４０は、有線又は無線のＬＡＮなどネットワークに接続されたネットワークカメラであり、利用者の各部屋に設置される。
【００３５】
利用者用ビデオカメラ４０は、撮影手段、及び映像送信手段を備えており、管理サーバ５０の要求に応じて管理サーバ５０へ所定時間ビデオ映像を送信する。
【００３６】
管理サーバ５０は、例えば、介護施設内のサーバ管理室に設置されているＰＣであり、ネットワーク接続のための通信手段（無線ＬＡＮインタフェース等）を備えている。なお、管理サーバ５０は施設外部に設置されたＡＳＰ（アプリケーション・サービス・プロバイダー）型又はクラウド（クラウドコンピューティング）型のサービスを提供するサーバであってもよい。
【００３７】
管理サーバ５０は、利用者用センサ１０から受信した検知情報、スケジュール管理者用端末３０から受信した介護スケジュール情報、利用者用ビデオカメラ４０から受信したビデオ映像などを恒常的又は一時的に記憶する記憶手段を備えている。
また、管理サーバ５０は、利用者用センサ１０からの検知情報を検知情報受信手段、及び検知情報を介護者用端末２０へ送信する検知情報送信手段を備えている。また、スケジュール管理者用端末３０から入力された介護スケジュール情報のスケジュール情報受信手段、及び介護スケジュール情報を介護者用端末２０に送信するスケジュール情報送信手段を備えている。さらに、介護者用端末２０からのビデオ映像の要求を取得する映像要求取得手段、かかる要求を利用者用ビデオカメラ４０に送信する映像要求送信手段、利用者用ビデオカメラ４０からビデオ映像を受信する映像受信手段、及び介護者用端末２０にビデオ映像を送信する映像送信手段を備えている。なお、これら、受信手段、送信手段等は、図面上、まとめて通信手段として示す。
【００３８】
以上のような構成の見守りシステムの動作について説明する。
まず、スケジュール管理者用端末３０による介護スケジュール情報の作成について説明する。
作成者であるスケジュール管理者が、スケジュール管理者用端末３０からシステムにログインし、図２に示すように、特定の利用者（例えば、利用者「特許太郎」）の介護スケジュール作成画面にアクセスし、介護スケジュールを入力する。具体的には、図３に示すように、『「金曜日」、「８：４５〜１２：００」、「デイサービス」』や、『「金曜日」、「１５：００〜１６：００」、「リハビリ」』や、『「金曜日」、「１７：００〜１８：００」、「食事介助」』といった『「曜日」、「時間」、「介護の内容」』を、例えば１週間分を入力する。この入力された各利用者の介護スケジュール情報は、スケジュール情報送信手段により介護サーバ５０に送信され、管理サーバ５０では、各利用者の介護スケジュール情報が記憶手段に記憶される。
【００３９】
続いて、介護者用端末２０の利用者情報表示手段における上記介護スケジュール情報の表示について説明する。なお、本実施形態においては、利用者情報表示手段に一覧として表示される各利用者の介護スケジュール情報は、直近の２つのスケジュールである場合を示す。
【００４０】
管理サーバ５０は、記憶手段に記憶された利用者「特許太郎」の一連のスケジュールのうちから、最も直近の第１介護スケジュールである『「金曜日」、「８：４５〜１２：００」、「デイサービス」』、及びこれに続く第２スケジュールである『「金曜日」、「１５：００〜１６：００」、「リハビリ」』を抽出する。続いて、図４に示すように、この抽出したデータを用いて、介護者用端末２０の利用者情報表示手段に表示される一覧の利用者「特許太郎」の利用者欄７０（個人欄）の上段に『「８：４５〜１２：００」、「デイサービス」』、下段に『「１５：００〜１６：００」、「リハビリ」』を表示させるようにする。すなわち、各利用者欄では、直近の第１介護スケジュールが上段に示され、続く第２介護スケジュールが下段に表示される。
【００４１】
なお、図５（ａ）に示されるように、本実施形態においては、各利用者欄の下部に上記介護スケジュール情報が掲載され、上部には、後述する利用者用センサ１０の検知情報が掲載される。
【００４２】
このように各利用者の直近２つの介護スケジュールが介護者用端末２０に表示されることにより、各利用者の現在の介護スケジュールと、それに続くスケジュールとして把握でき、効率的な作業を行うことが可能となる。
【００４３】
また、管理サーバ５０は、直近のスケジュールの終了時に、その直近のスケジュール情報を非表示とすると共に、次の新たなスケジュールを表示するような変更を行う。例えば、図３に示すように、第２介護スケジュールに続く第３介護スケジュールとして『「金曜日」、「１７：００〜１８：００」、「食事介助」』が記憶手段に記憶されている場合には、図５（ｂ）に示すように、最も直近の第１介護スケジュール『「８：４５〜１２：００」、「デイサービス」』の終了時に、その第１介護スケジュールが非表示とされると共に、これに続く第２介護スケジュール『「１５：００〜１６：００」、「リハビリ」』が上段に繰り上げられ、さらに、下段に新たに第３介護スケジュール『「１７：００〜１８：００」、「食事介助」』が表示される。
【００４４】
次に、介護者用端末２０の利用者情報表示手段における利用者用センサ１０からの検知情報の表示及びビデオ映像の表示について説明する。
【００４５】
図６に示すように、管理サーバ５０は、利用者用センサ１０からの検知情報を受信した際（Ｓ１００）、アラートが必要な検知情報か否かを判定し（Ｓ１０１）、アラートが不要の場合、介護者用端末２０に表示される当該利用者の利用者欄７０に、アラートを出すことなく、単にその旨を表示させる（Ｓ１０３）。例えば、「睡眠」に関する検知情報がアラート不要な場合、睡眠センサから「睡眠」の検知情報を受信すると、図７（ａ）に示すように、介護者用端末２０の利用者欄７０に単に「睡眠」７１と表示する。以降の説明においては、このようなアラートなしの表示状態を平常時とする。
【００４６】
一方、管理サーバ５０は、アラートが必要な検知情報を受信した際には（Ｓ１０１）、検知情報の表示と同時にアラートを出す（Ｓ１０２）。すなわち、例えば、ドアセンサが感知した旨及び睡眠センサからの離床の情報を受信した場合、図７（ａ）に示す平常時の表示から、例えば、図７（ｂ）に示すように、ドアセンサの文字「ドア」７３を点灯させ、睡眠センサの「睡眠」７１を「離床」７２に変える。これと同時に、利用者欄７０の上部の利用者名表示部を含む枠の色を変化させる。また、介護者用端末２０に、アラート音を発生させる。
なお、例えば、管理サーバ５０に、判定機能を持たせ、「部屋の出入口のドアに開閉反応」があった場合であっても、介護者用端末２０にすべて表示させるのではなく、予め設定した期間経過した場合のみ表示させるようにすることもできる。
【００４７】
さらに、図７（ｂ）に示すように、管理サーバ５０は、介護者用端末２０に、ビデオカメラのアイコン７４を表示させる（Ｓ１０２）。具体的には、利用者欄７０の下部の介護スケジュール欄をビデオカメラのアイコン７４とする。
【００４８】
ビデオカメラのアイコン７４の表示後、管理サーバ５０では、介護者による介護者用端末２０の操作による通知がされたかの監視が行われる（Ｓ１０４）。介護者は、必要に応じて、介護者用端末２０の画面に表示されたカメラアイコン７４をマウス等で選択し、管理サーバ５０へビデオ映像を要求するか、カメラアイコン７４以外の部分を選択し、管理サーバ５０へビデオ映像が不要であることを通知する。
【００４９】
管理サーバ５０では、介護者用端末２０から上記いずれかの通知があった場合には（Ｓ１０４）、アラートを消去する（Ｓ１０５）。また、介護者用端末２０からビデオ映像の要求が通知されたか判定し（Ｓ１０６）、ビデオ映像の要求が通知された場合（すなわち、カメラアイコン７４が選択された場合）には、利用者用ビデオカメラ４０に撮影要求を送信する（Ｓ１０７）。
【００５０】
撮影要求を受けた利用者用ビデオカメラ４０は、所定時間（例えば、３０秒）の映像を撮影すると共に管理サーバ５０に送信し、これを受けた管理サーバ５０は、介護者用端末２０に送信し、介護者用端末２０の利用者情報表示手段にビデオ映像を表示させる（Ｓ１０７）。これにより、対象の利用者の様子をリアルタイム映像で確認することができ、介護者は対象者の部屋に出向くことなく利用者の状況を確認することができる。
【００５１】
管理サーバ５０は、介護者用端末２０に、所定時間、ビデオ映像を表示した後（Ｓ１０８）、カメラアイコンを消去して、例えば図７（ａ）に示すような平常時の介護スケジュールを表示した画面に戻す（Ｓ１０９）。このように、予め所定時間のビデオ映像しか受信できない（表示できない）ので、対象者のプライバシーを保護することができる。
【００５２】
また、ビデオカメラのアイコンの表示後、介護者が、カメラアイコン７４以外の部分を選択し、管理サーバ５０へビデオ映像が不要である通知をした場合（ビデオ要求がされなかった場合）には（Ｓ１０６）、管理サーバ５０は、カメラアイコンの表示から所定時間経過したか判定し（Ｓ１１０）、所定時間経過した場合には、カメラアイコンを消去して、例えば図７（ａ）に示すような平常時の介護スケジュールを表示した画面に戻す（Ｓ１０９）。
【００５３】
一方、ビデオカメラのアイコンの表示後、介護者から何の通知もされなかった場合には（Ｓ１０４）、所定時間経過したかの判定がされ（Ｓ１１１）、所定時間経過した場合には、アラートやカメラアイコンを消去し、介護スケジュールが表示された平常時の表示に戻す（Ｓ１１２，Ｓ１０９）。すなわち、介護者用端末２０において何も操作がなされなかった場合には、あらかじめ設定された制限時間（例えば、６０秒）に到達した際に、アラートやカメラアイコンを消去し、介護スケジュールが表示された平常時の表示に戻す。これにより、介護者用端末２０には、例えば図７（ａ）に示すような平常時の介護スケジュールを表示した画面が表示される。
【産業上の利用可能性】
【００５４】
本発明における見守りシステムによれば、介護施設等において効率的に利用者の見守りができ、産業上有用である。
【符号の説明】
【００５５】
１０    利用者用センサ
２０    介護者用端末
３０    スケジュール管理者用端末
４０    ビデオカメラ
５０    管理サーバ
【図１】
2018132795.tif 000003
【図２】
2018132795.tif 000004
【図３】
2018132795.tif 000005
【図４】
2018132795.tif 000006
【図５】
2018132795.tif 000007
【図６】
2018132795.tif 000008
【図７】
2018132795.tif 000009